(57)【要約】【課題】２つのベルマウスが並列された樹脂製のベルマウスが外力を受けたときに、マウスの変位が抑制される送風機を提供する。【解決手段】本発明の送風機１６は、第１ファン１７Ａと、第１ファン１７Ａと並列に設けられる第２ファン１７Ｂとを有する、ファン１７と、第１ファン１７Ａの周囲を取り囲む第１マウス２１Ａと、第２ファン１７Ｂの周囲を取り囲む第２マウス２１Ｂを有し、樹脂材料からなるベルマウス２０と、を備え、第１マウス２１Ａと第２マウス２１Ｂは、外力を受けて変位すると、互いに対向する部位が接することを特徴とする。【選択図】図２
2017057772.tif 000002
【特許請求の範囲】
【請求項１】
第１ファンと、第１ファンと並列に設けられる第２ファンとを有するファンと、
前記第１ファンを駆動する第１モータと、前記第２ファンを駆動する第２モータとを有する電動モータと、
前記第１ファンの周囲を取り囲む第１マウスと、前記第２ファンの周囲を取り囲む第２マウスと、前記第１マウスと前記第２マウスの間を区切る中央区分帯と、を有し、樹脂材料から一体的に形成されるベルマウスと、
前記第１モータから前記第１ファンまでに対応する第１領域と、前記第２モータから前記第２ファンまでに対応する第２領域と、を有し、前記第１領域と前記第２領域が仕切りを介して接する整流体と、を備え、
前記ベルマウスは、
前記第１マウスと前記第２マウスの間を区切る前記中央区分帯が、前記整流体の前記仕切りに支持されている、
ことを特徴とする送風機。
【請求項２】
前記べルマウスは、
前記中央区分帯に加え、周縁が前記整流体に支持されている、
請求項１に記載の送風機。
【請求項３】
前記整流体は、
前記電動モータ、前記ファン及び前記整流体を収容する筐体に支持されている、
請求項１又は請求項２に記載の送風機。
【請求項４】
前記筐体は、
前記整流体の前記仕切りに対応する整流板を備え、
前記整流板により、前記第１領域に対応する領域と前記第２領域に対応する領域に仕切られる、
請求項３に記載の送風機。
【発明の詳細な説明】
【技術分野】
【０００１】
本発明は、送風機に関し、特に樹脂製のベルマウスを備える送風機に関する。
【背景技術】
【０００２】
空気調和機は、室内の空気を熱交換する室内機と、外気に対して放熱または外気から吸熱し、送風機を備える室外機を有している。送風機は、ファンと、ファンの周囲を取り囲み、空気を送風するためのベルマウスを備えている。
送風機のベルマウスは、金属製あるいは樹脂製のものが用いられている。
金属製のベルマウスは、剛性が高いため、積雪荷重や風荷重等の外力により変形するおそれが低いが、加工上の制限があるため形状の自由度は低い。
一方、樹脂製のベルマウスは、射出成形により形成することができるため、形状の自由度は高くなるが、金属製に比べ剛性が低いため、例えば積雪があって外力が加わると重力方向に変形するおそれがある。ベルマウスが変形すると、ベルマウスとファンの間のクリアランスが変わり、室外機としての性能が低下するおそれがある。
【０００３】
そこで、本発明者は、特許文献１にて、並列に配置される第１ファンと第２ファンを有し、第１ファンの周囲を取り囲む第１マウスと第２ファンの周囲を取り囲む第２マウスは、外力を受けて変位すると、互いに対向する部位が接する送風機を提案している。つまり、特許文献１の提案は、樹脂製のベルマウスにおいて、第１マウスと第２マウスは、外力を受けて変位すると互いに対向する部位が接するため、第１マウスと第２ファンが変位するのを抑制し、ベルマウスの変形が防止される。
【先行技術文献】
【特許文献】
【０００４】
【特許文献１】特開２０１５−１１３８１８号公報
【発明の概要】
【発明が解決しようとする課題】
【０００５】
室外機の性能を確保するためには、ベルマウスの変形を防止するだけでは足りず、熱交換器からファンまでの空気の整流化が必要である。ところが、特許文献１のように、複数、例えば二つのファンを有する室外機では、それぞれのファンの回転による空気の流れが互いに影響しあうために、ファンを駆動するモータからファンに至る領域で空気の乱れが生じる懸念がある。
【０００６】
そこで本発明は、樹脂製のベルマウスが並列された送風機において、鉛直方向の下向きの外力を受けたときに、マウスの変形を抑制するとともに、モータからファンに至る領域で空気の乱れを抑制できる送風機を提供することを目的とする。
【課題を解決するための手段】
【０００７】
かかる目的のもと、本発明の送風機は、第１ファンと、第１ファンと並列に設けられる第２ファンとを有するファンと、第１ファンを駆動する第１モータと、第２ファンを駆動する第２モータとを有する電動モータと、第１ファンの周囲を取り囲む第１マウスと、第２ファンの周囲を取り囲む第２マウスと、第１マウスと第２マウスの間を区切る中央区分帯と、を有し、樹脂材料から一体的に形成されるベルマウスと、第１モータから第１ファンまでに対応する第１領域と、第２モータから第２ファンまでに対応する第２領域と、を有し、第１領域と第２領域が仕切りを介して接する整流体と、を備える。
本発明におけるべルマウスは、第１マウスと第２マウスの間を区切る中央区分帯が、整流体の仕切りに支持されている、ことを特徴とする。
【０００８】
本発明の送風機によれば、電動モータからファンにかけて、第１領域と第２領域を有する整流体を備えているので、第１モータから第１ファンにかけて流れる空気を整流化し、かつ、第２モータから第２ファンにかけて流れる空気を整流化することができる。しかも、第１領域と第２領域が仕切りにより仕切られているので、第１領域と第２領域は、互いに影響されることなく、そこを流れる空気を整流化することができる。
さらに、本発明の送風機は、第１マウスと第２マウスの間の中央区分帯が、整流体の仕切りに支持されている。ここで、ベルマウスに鉛直方向の下向きに外力が加わると、第１マウスと第２マウスの間の中央区分帯の部分が最も下向きに変形しやすい。ところが、本発明の送風機は、中央区分帯が仕切り板に支持されているので、ベルマウスに例えば積雪があって下向きの外力を受けても変形しにくい。
【０００９】
本発明の送風機におけるべルマウスは、中央区分帯に加え、周縁が整流体に支持されている、ことが好ましい。
このように、周縁及び中央区分帯の全体が整流体に支持されることにより、ベルマウスの変形をより抑えることができる。
【００１０】
本発明の送風機における整流体は、電動モータ、ファン及び整流体を収容する筐体に支持されている、ことが好ましい。
これにより、整流体を支持する部材を特別に設けることなく、整流体を介してベルマウスの変形を抑えることができる。
なお、整流体の筐体による支持は、ブラケットなどの他の部材を介する間接的な支持と、ボルトなどによる直接的な支持と、を含む。
【００１１】
本発明の送風機において、筐体は、整流体の仕切りに対応する整流板を備え、整流板により、整流体の第１領域に対応する領域と整流体の第２領域に対応する領域とに仕切られることが好ましい。
これにより、整流体に導入される時点で空気の流れがあるレベルまで整流化されるので、整流体による整流化の効果を向上できる。
【発明の効果】
【００１２】
本発明によれば、電動モータからファンまでの整流化を実現する整流体によりベルマウスを支持するので、整流体の他に格別の部材を設けることなく、整流体がベルマウスの変形防止の機能を兼備することができる。これにより、樹脂製のベルマウスは、外力を受けると変位するおそれがあるため、主にファンが１つの送風機に使用されていたが、本発明は、外力によるベルマウスの変形を抑制できるため、２つのファンが併設されている送風機への樹脂製のベルマウスの適用を可能にする。
【図面の簡単な説明】
【００１３】
【図１】本実施の形態にかかる空気調和機の室外機の概略構成を示し、（ａ）は平面図、（ｂ）は側面図である。
【図２】本実施の形態にかかるベルマウスを示し、（ａ）は（ｂ）のIIｂ−IIｂ線矢視断面図、（ｂ）は（ａ）のIIａ−IIａ線矢視断面図である。
【図３】本実施の形態にかかる整流体を示し、（ａ）は（ｂ）のIIIｂ−IIIｂ線矢視断面図、（ｂ）は（ａ）のIIIａ−IIIａ線矢視断面図である。
【図４】本実施の形態にかかるベルマウス及び整流体を示し、（ａ）は平面図、（ｂ）は（ａ）のIVｂ−IVｂ線矢視断面図である。
【図５】変形例にかかる整流体及びベルマウスを示す図である。
【発明を実施するための形態】
【００１４】
以下、添付図面を参照し、本発明の実施形態について説明する。
図１に示すように、本発明の実施形態にかかる空気調和機の室外機１は、吸入口１２が側面１０Ａに形成された筐体１０と、筐体１０の内部に設けられる熱交換器１５と、熱交換器１５を通過した空気を排出する送風機１６と、を備える。なお、熱交換器１５は、図示はされていないが、熱交換器１５Ａ，１５Ｂの総称として本実施形態において用いる。送風機１６、ファン１７、電動モータ１８などについても同様とする。
【００１５】
送風機１６は、ファン１７と、ファン１７を駆動する電動モータ１８と、ファン１７を収容するベルマウス２０と、電動モータ１８からファン１７にかけて設けられる整流体３０と、を備える。
電動モータ１８を駆動すると、吸入口１２から筐体１０の内部に吸い込まれた空気Ａｉｒは、図１（ｂ）に示すように、熱交換器１５を通過した後に鉛直方向（図１（ｂ）の上下方向）の上方に向けて流れ、ベルマウス２０から外部に向けて排出される。筐体１０には幅方向Ｘ（図１（ａ））を二等分した位置に整流板１９が設けられており、それぞれの吸入口１２から吸い込まれた空気Ａｉｒが区分されて送風機１６Ａ，１６Ｂに向けて流れる。整流板１９は、筐体１０の奥行方向Ｙ（図１（ａ））の全域にわたって設けられる。
【００１６】
ファン１７は、第１ファン１７Ａと、第１ファン１７Ａと並列に設けられる第２ファン１７Ｂとを有する。
電動モータ１８は、第１ファン１７Ａを駆動する第１モータ１８Ａと、第２ファン１７Ｂを駆動する第２モータ１８Ｂとを有する。第１モータ１８Ａ及び第２モータ１８Ｂは、筐体１０に所定の位置に支持される。この支持の手段は任意であるが、例えば、筐体１０に固定されるブラケットに固定することにより、第１モータ１８Ａ及び第２モータ１８Ｂを筐体１０の所定位置に支持することができる。
【００１７】
次に、ベルマウス２０について、図１、図２及び図４を参照して説明する。
ベルマウス２０は、室外機１の筐体１０の上面１０Ｂを覆うように設けられている。ベルマウス２０は、樹脂材料からなり、例えば射出成形により一体的に形成される。
ベルマウス２０は、基部２３と、第１マウス２１Ａと、第２マウス２１Ｂとを備える。
基部２３は、平面視した外周縁が矩形をなし、第１マウス２１Ａおよび第２マウス２１Ｂを除いた部分が偏平な板状をなしている。基部２３は、ねじを含めた締結具などの手段により筐体１０に固定される。
【００１８】
第１マウス２１Ａおよび第２マウス２１Ｂは、基部２３から立ち上がるように形成され（図２（ｂ））、幅方向Ｘに間隔をあけることなく中央区分帯２４を介して接触して並設されている（図２（ａ））。中央区分帯２４は、ベルマウス２０の第１マウス２１Ａおよび第２マウス２１Ｂを幅方向Ｘに二等分に区切る位置に設けられており、ここでは、中央区分帯２４が、基部２３から鉛直方向又は高さ方向の上端まで連なっている。
第１マウス２１Ａは筒状をなし、第１ファン１７Ａの周囲を取り囲むように設けられている。第１マウス２１Ａは、第１ファン１７Ａの外周縁とクリアランスＨをあけて設けられている。
第２マウス２１Ｂは、第１マウス２１Ａと同じ形状及び寸法を有する円筒状の形態をなし、第２ファン１７Ｂの周囲を取り囲むように設けられている。第２マウス２１Ｂは、ベルマウス２０を幅方向Ｘに二等分する基準線Ｃを対称軸として、第１マウス２１Ａと線対称の位置に配置される。
本実施形態は、第１マウス２１Ａと第２マウス２１Ｂが、中央区分帯２４で互いに接触するように形成されている。
【００１９】
ベルマウス２０は、図２（ｂ）に示すように、ファン１７による送風の向きの上流側に位置する上流端２０Ａと送風の向きの下流側に位置する下流端２０Ｂを有する。ベルマウス２０は、上流端２０Ａから下流端２０Ｂに向けて、開口面積が一定になるように形成されている。
【００２０】
次に、整流体３０について、図１、図３及び図４を参照して説明する。
整流体３０は、電動モータ１８からファン１７に亘って設けられ、電動モータ１８からファン１７にかけて空気の流れを整える。整流体３０は、第１モータ１８Ａと第１ファン１７Ａに対応する領域と、第２モータ１８Ｂと第２ファン１７Ｂに対応する領域と、を仕切って整流化することができる。整流体３０は、ベルマウス２０と同様に、射出成形により一体的に形成することができるし、金属板を曲げ加工するなどして形成することもできる。
【００２１】
整流体３０は、その外殻をなし、平面視して長円形状に形成される側壁３１を有する。
側壁３１は、図３（ａ）に示すように、ファン１７による送風の向きの上流側に位置する上流端３０Ａと送風の向きの下流側に位置する下流端３０Ｂを有する。側壁３１は、上流端３０Ａから下流端３０Ｂに向けて外周がつぼまることにより、開口面積が上流端３０Ａから下流端３０Ｂに向けて連続的に狭くなるように形成されている。側壁３１は、下流端３０Ｂにおいて、ベルマウス２０の基部２３の周縁と同じ寸法を有している。
側壁３１は、図３（ｂ）に示すように、高さｈを有しており、電動モータ１８からファン１７にかけて、送風機１６を周囲から覆う。これにより、側壁３１の内側の近傍は、ファン１７の回転に伴って、上流端３０Ａから下流端３０Ｂに向けて整流作用を受けながらベルマウス２０に流入する。
【００２２】
整流体３０は、平面視したときに幅方向Ｘに二等分する位置に、平板状の仕切り３３が設けられている。
仕切り３３は、側壁３１と同じ高さｈを有しており、側壁３１の内部を第１領域３５Ａと第２領域３５Ｂに仕切る。第１領域３５Ａは、第１ファン１７Ａ及び第１モータ１８Ａを内部に収容し、第２領域３５Ｂは第２ファン１７Ｂ及び第１モータ１８Ａを収容する。
整流体３０は、ベルマウス２０とともに電動モータ１８及びファン１７の鉛直方向の全域を収容する。つまり、整流体３０の高さｈは、ベルマウス２０の高さによって変動し得るものであり、ベルマウス２０がファン１７の全域を収容するのであれば、整流体３０は電動モータ１８だけを収容すれば足りることになり、ベルマウス２０がファン１７の一部しか収容しないのであれば、整流体３０は電動モータ１８及びファン１７の他の部分を収容するように形成される。第１領域３５Ａ，第２領域３５Ｂの鉛直方向の領域は、以上の指針により定められることになる。
前述した筐体１０の整流板１９は、整流体３０の仕切り３３に対応した位置に設けられ、整流板１９により仕切られた領域は、第１領域３５Ａ，第２領域３５Ｂのそれぞれに対応する。
【００２３】
本実施形態の室外機１は、ベルマウス２０と整流体３０の配置に特徴を有しており、特に、図１（ｂ）及び図４に示すように、ベルマウス２０は整流体３０に載せられ、支持される。つまり、整流体３０は、筐体１０の内部の所定位置に支持されており、ベルマウス２０は、この整流体３０の上に載せられた状態で、やはりブラケットに固定することができる。この場合、整流体３０は筐体１０に間接的に支持されることになる。
前述したように、ベルマウス２０の上流端２０Ａにおける寸法と整流体３０の下流端３０Ｂにおける寸法が同じであり、また、ベルマウス２０における二等分の位置と整流体３０における二等分の位置が一致する。したがって、ベルマウス２０が整流体３０の上に載せられると、整流体３０の側壁３１がベルマウス２０の周縁部分と接し、側壁３１がベルマウス２０の周縁部分を支持する。しかも、整流体３０の仕切り３３がベルマウス２０の中央区分帯２４と接し、仕切り３３が中央区分帯２４を支持する。つまり、ベルマウス２０は、中央区分帯２４を含むベルマウス２０の全域含み、整流体３０が機械的に支持する。
【００２４】
［作用及び効果］
以下、本実施形態に係る室外機１の作用及び効果を説明する。
室外機１は、電動モータ１８からファン１７にかけて、整流体３０を備えている。この整流体３０は、第１領域３５Ａと第２領域３５Ｂを備え、第１領域３５Ａが送風機１６Ａに対応し、第２領域３５Ｂが送風機１６Ｂに対応している。したがって、整流体３０は、送風機１６Ａを流れる空気を整流化し、かつ、送風機１６Ｂを流れる空気を整流化することができる。しかも、第１領域３５Ａと第２領域３５Ｂが仕切り３３により仕切られているので、第１領域３５Ａと第２領域３５Ｂは、互いに影響されることなく、それぞれを流れる空気を整流化することができる。
【００２５】
次に、室外機１は、ベルマウス２０が整流体３０に載せられ、特に、ベルマウス２０を二等分する位置に設けられる中央区分帯２４が整流体３０の仕切り３３に支持されている。ここで、ベルマウス２０に積雪があったものとすると、ベルマウス２０を二等分する中央区分帯２４の部分が積雪による荷重を受けて、鉛直方向の下向きに最も変形しやすい。ところが、室外機１は、中央区分帯２４が仕切り３３に支持されており、仕切り３３を備える整流体３０は筐体１０に支持されているので、ベルマウス２０に積雪があっても変形しにくい。
しかも、整流体３０は側壁３１がベルマウス２０の周縁部分も支持しているので、ベルマウス２０の変形はより抑制される。
【００２６】
以上の説明のように、室外機１は、電動モータ１８からファン１７までの整流化を実現する整流体３０によりベルマウス２０を支持するので、整流体３０の他に格別の部材を設けることなく、整流体３０がベルマウス２０の変形防止の機能を兼備することができる。
従来、樹脂製のベルマウスは、外力を受けると変位するおそれがあるため、主にファンが１つの送風機に使用されていたが、本実施形態は、外力によるベルマウス２０の変形を抑制できるため、ファンが２つ設けられている２ファン仕様の送風機への樹脂製のベルマウス２０の適用を可能にする。
【００２７】
次に、第１マウス２１Ａが外力を受けると、第１マウス２１Ａは第２マウス２１Ｂに近づく方向に変位しようとする。一方、第２マウス２１Ｂが外力を受けると、第２マウス２１Ｂは第１マウス２１Ａに近づく方向に変位しようとする。
ところが、本実施形態のベルマウス２０は、第１マウス２１Ａと第２マウス２１Ｂが隙間なく設けられ、中央区分帯２４により接して、両者を一体として形成されている。したがって、ベルマウス２０が下向きの外力を受けると、第１マウス２１Ａの側から中央区分帯２４に力が加わる。同様に、ベルマウス２０が下向きの外力を受けると、第２マウス２１Ｂの側から中央区分帯２４に力が加わる。双方に加わる力は、逆向きであるため、中央区分帯２４に加わる双方の力は打ち消される。そのため、第１マウス２１Ａと第２マウス２１Ｂの変位は抑制される。
第１マウス２１Ａ，２１Ｂの変位が抑制されると、設定されていたクリアランスＨを維持することができる。そのため、送風機１６の性能の低下や、第１マウス２１Ａ，２１Ｂとファン１７Ａ，１７Ｂの接触によるベルマウス２０およびファン１７Ａ，１７Ｂの破損を防止できる。
【００２８】
以上、本実施形態について説明したが、これ以外にも、本発明の主旨を逸脱しない限り、上記実施の形態で挙げた構成を取捨選択したり、他の構成に適宜変更したりすることが可能である。
例えば、上記実施形態では、整流体３０の仕切り３３が側壁３１と同じ高さｈを有していたが、本発明は、側壁３１と仕切り３３の高さが一致していなくてもよく、仕切り３３の中央区分帯２４の支持が担保されている限り、例えば図５（ａ）に示すように、仕切り３３の方が低くてもよい。ただし、気流の整流化のためには、仕切り３３が側壁３１と同じ高さｈを有していることが好ましい。
【００２９】
また、上記実施形態では、整流体３０の仕切り３３が板状の形態を有していたが、本発明は、これに限定されない。例えば、図５（ｂ）に示すように、側壁３１がつぼまる実施形態に対応するように、円弧状の形態にすることができる。これにより、第１領域３５Ａと第２領域３５Ｂのそれぞれにおける整流化の効果を向上できる。ただし、図５（ｂ）の形態だと、空気の流れる流路を狭くし、風量を小さくすることが想定される。したがって、筐体１０の内部に、図１に示すように、仕切り３３に対応する整流板１９を設けることにより、筐体１０を通過する空気の流れを整流化すれば、板状の仕切り３３だけで、十分な整流化を達成することができる。
【００３０】
次に、上記実施形態では、第１マウス２１Ａと第２マウス２１Ｂが中央区分帯２４で接触することにしたが、本発明は、図５（ｃ）に示すように、第１マウス２１Ａと第２マウス２１Ｂの間に隙間Ｇが設けられていてもよい。
この場合、隙間Ｇは、第１マウス２１Ａと第２マウス２１Ｂが外力を受けて変位したときに、第１マウス２１Ａと第２マウス２１Ｂが接するように設定するのが好ましい。そうすれば、当初より第１マウス２１Ａと第２マウス２１Ｂが接している本実施形態と同様に、第１マウス２１Ａ，２１Ｂは互いに加わる力が打ち消され、第１マウス２１Ａ，２１Ｂは変位しなくなる。
そのためには、第１マウス２１Ａおよび第２マウス２１Ｂが、外力を受けたときに、互いに近づく方向への最大変位量をそれぞれＬ１、Ｌ２とすると、隙間Ｇは、Ｇ＜Ｌ１＋Ｌ２を満たすように設定される。
なお、第１マウス２１Ａと第２マウス２１Ｂの間に隙間Ｇが設けられこの実施形態の中央区分帯２４は、基部２３だけに設けられることになる。
【００３１】
また、第１マウス２１Ａ，２１Ｂの外周壁の周方向に、それぞれリブを設けてもよい。リブは、ベルマウス２０と一体的に形成すればよい。
リブを設けることで、第１マウス２１Ａ，２１Ｂの剛性が高くなるため、第１マウス２１Ａ，２１Ｂの全体が、外力に対して、変形し難くなる。
なお、リブは第１マウス２１Ａ，２１Ｂの双方に設ける場合に限定されず、どちらか一方に設けてもよいし、リブは、マウスの外周側に設ける例に限らず、内周側に設けることもできる。
【００３２】
また、室外機１は、ベルマウス２０の第１マウス２１Ａ、第２マウス２１Ｂ及び中央区分帯２４の全域が整流体３０により支持されるものとしたが、本発明はこれに限定されない。例えば、中央区分帯２４だけを整流体３０により支持し、他の部分は筐体１０に支持される構造にすることができる。
【００３３】
さらに、本実施形態では２つのファンだけが並列に設けられる例を示したが、３つ以上のファンが並列に設けられる場合には、互いに隣接される２つのファンの間に本発明を適用することができる。
【符号の説明】
【００３４】
１０   筐体
１０Ａ 側面
１０Ｂ 上面
１２   吸入口
１５Ａ，１５Ｂ       熱交換器
１６Ａ 送風機
１６Ｂ 送風機
１７Ａ 第１ファン
１７Ｂ 第２ファン
１８Ａ 第１モータ
１８Ｂ 第２モータ
１９   整流板
２０   ベルマウス
２０Ａ 上流端
２０Ｂ 下流端
２１Ａ 第１マウス
２１Ｂ 第２マウス
２３   基部
２４   中央区分帯
３０   整流体
３０Ａ 上流端
３０Ｂ 下流端
３１   側壁
３３   仕切り
３５Ａ 第１領域
３５Ｂ 第２領域
【図１】
2017057772.tif 000003
【図２】
2017057772.tif 000004
【図３】
2017057772.tif 000005
【図４】
2017057772.tif 000006
【図５】
2017057772.tif 000007